(57)【特許請求の範囲】
【請求項１】
液保持性の吸収体を有する縦長の吸収性本体と、該吸収性本体が内面側に固定されたパンツ型の外装体とからなり、該外装体に、複数の弾性部材が、該外装体における該吸収性本体に対応する部位をそれぞれ幅方向に横切るように所定間隔で配設されているパンツ型吸収性物品において、
前記外装体に配設された前記弾性部材は、その一部の弾性部材が、着用時に着用者の股下部に位置する股下部に配されており、
前記吸収性本体における、前記吸収体と該吸収体の裏面側に配されたシート材との間に、弾性部材が、該吸収性本体の長手方向に沿って配設されており、
前記吸収性本体は、その長手方向において間欠的に複数の接合部で前記外装体に接合されており、複数の該接合部の内、該吸収性本体の長手方向の両端部に位置する接合部を除く接合部は、該吸収性本体の長手方向に沿って配設された前記弾性部材が存在する所定幅の領域において、前記外装体における前記幅方向の弾性部材と重ならないように形成されており、
前記吸収性本体の長手方向に沿って配設された前記弾性部材は、前記股下部において、前記シート材に固定されておらず、前記吸収性本体の幅方向中央部における前記吸収体と前記シート材との間が離間可能になされているパンツ型吸収性物品。
【請求項２】
前記吸収性本体に配設された前記弾性部材は、２５ｍｍ以上の幅で配されている請求項１記載のパンツ型吸収性物品。
【請求項３】
前記吸収性本体に配設された前記弾性部材は、該吸収性本体の全長に対して９５％未満の長さである請求項１又は２の何れか記載のパンツ型吸収性物品。
【請求項４】
前記吸収性本体に配設された前記弾性部材は、その収縮力が２５０〜９５０ｃＮである請求項１〜３の何れか記載のパンツ型吸収性物品。
【発明の詳細な説明】
【０００１】
【発明の属する技術分野】
本発明は、着用者の股下部に吸収性本体が良好にフィットし、人体から排出される液体を該吸収性本体に効率的に吸収させることのできるパンツ型吸収性物品に関する。
【０００２】
【従来の技術及び発明が解決しようとする課題】
従来、液保持性の吸収体を有する縦長の吸収性本体と、該吸収性本体が内面側に固定されたパンツ型の外装体とからなり、該外装体に、複数の弾性部材が、該外装体における該吸収性本体に対応する部位をそれぞれ幅方向に横切るように所定間隔で配設されたパンツ型吸収性物品が知られている。
斯かるパンツ型吸収性物品においては、外装体に配された幅方向の弾性部材の弾性収縮力により、胴廻りに良好なフィット性が得られ、そのため、装着性能（装着のし易さ）や着用感等に優れている。
しかし、斯かるパンツ型吸収性物品においては、吸収性本体を、着用者の股下部に対して十分にフィットさせる構成ではなかったため、吸収性能や漏れ防止性能が十分には得られない場合があった。
【０００３】
従って、本発明の目的は、胴廻りのフィット性に優れており、しかも着用者の股下部に対して吸収性本体を十分にフィットさせることができ、優れた装着性、吸収性能及び漏れ防止性能を得ることのできるパンツ型吸収性物品を提供することにある。
【０００４】
【課題を解決するための手段】
本発明は、液保持性の吸収体を有する縦長の吸収性本体と、該吸収性本体が内面側に固定されたパンツ型の外装体とからなり、該外装体に、複数の弾性部材が、該外装体における該吸収性本体に対応する部位をそれぞれ幅方向に横切るように所定間隔で配設されているパンツ型吸収性物品において、前記外装体に配設された前記弾性部材は、その一部の弾性部材が、着用時に着用者の股下部に位置する股下部に配されており、前記吸収性本体における、前記吸収体と該吸収体の裏面側に配されたシート材との間に、弾性部材が、該吸収性本体の長手方向に沿って配設されており、前記吸収性本体は、その長手方向において間欠的に複数の接合部で前記外装体に接合されており、複数の該接合部の内、該吸収性本体の長手方向の両端部に位置する接合部を除く接合部は、該吸収性本体の長手方向に沿って配設された前記弾性部材が存在する所定幅の領域において、前記外装体における前記幅方向の弾性部材と重ならないように形成されており、前記吸収性本体の長手方向に沿って配設された前記弾性部材は、前記股下部において、前記シート材に固定されておらず、前記吸収性本体の幅方向中央部における前記吸収体と前記シート材との間が離間可能になされているパンツ型吸収性物品を提供することにより、前記目的を達成したものである。
【０００５】
【発明の実施の形態】
以下、本発明をその好ましい実施形態に基づいて説明する。
本発明のパンツ型吸収性物品の一実施形態としての女性用ショーツ型吸収性物品１’について説明する。本実施形態の女性用ショーツ型吸収性物品１’は、以下に説明する女性用ショーツ型吸収性物品１と同様の基本的な構造を有する。
女性用ショーツ型吸収性物品１は、図１〜４に示すように、液保持性の吸収体１４を有する縦長の吸収性本体１１と、該吸収性本体が内面側に固定されたパンツ型の外装体２１とからなる。
【０００６】
吸収性本体１１は、液透過性の表面シート１２、液不透過性の裏面シート１３及び両シート１２，１３間に介在された液保持性の吸収体１４を具備してなり、平面視して縦長矩形状をなしている。表面シート１２及び裏面シート１３は、吸収体１４の周縁部において互いに接合されている。
【０００７】
吸収性本体１１における吸収体１４の裏面側には、弾性部材１５が、該吸収性本体１１の長手方向に沿って配設されている。
女性用ショーツ型吸収性物品１においては、糸状の弾性部材１５が、互いに平行に複数本配されている。また、吸収性本体１１における吸収体１４の裏面側には、外装体２１に接合された接合シートとしての裏面シート１３が配されており、吸収性本体に配設された弾性部材としての前記弾性部材１５は、該吸収体１４と裏面シート１３との間に配されている。
吸収体１４の裏面側に配設された弾性部材１５は、吸収体１４及び裏面シート１３に接合されている。
尚、前記弾性部材１５は、吸収性本体１１の長手方向の両端部において、表面シート１２及び裏面シート１３と共に外装体２１に固定されている。また、吸収性本体１１の長手方向の両側縁部には、それぞれ、弾性部材１６を有する立体ギャザー形成用のシート材１７が長手方向に沿って接合固定され、一対の立体ギャザー１８，１８が形成されている。
【０００８】
外装体２１は、図１に示すように、ウエスト開口部２２及び一対のレッグ開口部２４，２４を有するパンツ型の形態を有している。ウエスト開口部２２及び一対のレッグ開口部２４，２４それぞれには、各開口部の周囲に実質的に連続したギャザーが形成されるように、ウエスト部弾性部材２３及びレッグ部弾性部材２５が配設されている。
女性用ショーツ型吸収性物品１は、着用時に着用者の腹側に位置する腹側部Ａと、着用者の背側に位置する背側部Ｂと、着用者の股下部に位置する股下部Ｃとからなり、腹側部Ａ及び背側部Ｂに存する外装体２１の左右両側縁同士が、ヒートシール等の公知の接合手段により接合されており、股下部Ｃの左右両側に、一対のレッグ開口部２４，２４が形成されている。
【０００９】
外装体２１のウエスト部弾性部材２３が配された位置よりも下方（ウエスト開口部２２を上方に向けた場合における下方）には、複数本の弾性部材３，３・・が、それぞれ幅方向に向けて、腹側部Ａ、股下部Ｃ及び背側部Ｂに亘る範囲に所定の間隔で配設されている。
女性用ショーツ型吸収性物品１における外装体２１は、それぞれ不織布からなる複数のシート材、詳細には、吸収性物品１の外面を形成する外層シート２６とその内側の内層シート２７の計２枚のシート材を主体として構成され、複数本の前記弾性部材３，３・・は、それぞれ、両シート２６，２７間に伸張状態で固定されている。
【００１０】
吸収性本体１１は、図２に示すように、その長手方向を、外装体２１の長手方向（図２の上下方向）に一致させて、腹側部Ａ、股下部Ｃ及び背側部Ｂに亘って、外装体２１の内面側に固定されている。尚、図２においては、吸収性本体１１は示されておらず、その配設位置のみが２点鎖線Ｐで示されている。
【００１１】
そして、吸収性本体１１は、図２〜図４に示すように、その長手方向において間欠的に複数の接合部４ａ〜４ｄで外装体２１に接合されている。
即ち、吸収性本体１１と外装体２１とは、吸収性本体１１の長手方向の両端部に位置する接合部４ａ，４ｄ、及び、隣接する接合部との間に所定の間隔を開けて、両接合部４ａ，４ｄ間に設けた２つの接合部４ｂ，４ｃの合計４カ所の接合部４ａ〜４ｄにおいて、互いに接合されている。
女性用ショーツ型吸収性物品１における接合部４ａ〜４ｄは、吸収性本体１１の幅方向中央部における裏面シート１３及び／又は外装体２１における該裏面シート１３に臨む面に、例えばホットメルト型の接着剤等の各種公知の接着剤を所定形状に塗布し、該接着剤を介して両者を接合させて形成されている。
【００１２】
そして、複数の接合部４ａ〜４ｄの内、該吸収性本体１１の長手方向の両端部に位置する接合部４ａ，４ｄを除く接合部４ｂ，４ｃは、吸収性本体１１の長手方向に沿って配設された弾性部材１５が存在する所定幅の領域Ｇにおいて、外装体２１における前記弾性部材、即ち外装体２１に、該外装体２１における吸収性本体１１に対応する部位をそれぞれ幅方向に横切るように所定間隔で配設された弾性部材３１，３１・・と重ならないように形成されている。
女性用ショーツ型吸収性物品１における接合部４ｂ，４ｃは、それぞれ細幅に且つ吸収性本体１１の幅方向に延びるように形成されており、隣接する弾性部材３１，３１間に、両弾性部材３１，３１と交差しないように配されている。
【００１３】
女性用ショーツ型吸収性物品１は、従来のパンツ型吸収性物品と同様に着用者に装着されて使用される。
そして、女性用ショーツ型吸収性物品１によれば、吸収性本体１１における吸収体１４の裏面側に長手方向に弾性部材１５が配されており、着用時に、該弾性部材１５の収縮作用により、吸収性本体１１が着用者の肌側に向けて持ち上げられるため、吸収性本体１１が着用者の股下部に良好にフィットする。そのため、優れた吸収性能及び漏れ防止性能が得られる。
しかも、複数の接合部４ａ〜４ｄの内の吸収性本体１１の長手方向の両端に位置する接合部４ａ，４ｄを除く接合部４ｂ，４ｃが、弾性部材３１，３１・・と重ならないように形成されているので、着用者の胴廻りの良好なフィット性が損なわれることがない。そのため、優れた吸収性能及び漏れ防止性能と共に優れた装着性や装着感が得られる。
【００１４】
尚、吸収性本体１１に弾性部材１５を配設するのに代えて、外装体２１における該吸収性本体１１に対応する部位に弾性部材１５を配設した場合には、吸収性本体１１を外装体２１と共に持ち上げる必要が生じるため、吸収性本体１１を着用者に良好にフィットさせることができない。
【００１５】
吸収性本体１１に配設された弾性部材１５は、着用者の股下部に対する吸収性本体１１のフィット性を確実に向上させる観点から、股下部Ｃに２５ｍｍ以上の幅で配されていることが好ましく、特に３５ｍｍ以上の幅で配されていることが好ましい。尚、ここでいう「幅」とは、弾性部材１５が１本のみ配設されている場合には該弾性部材の幅を意味し、弾性部材１５が複数本配設されている場合には、複数本の弾性部材１５の配設幅、即ち吸収性本体１１の幅方向に拡がる幅Ｗ（図３参照）を意味する。また、この「幅」の上限値は、吸収性本体１１の幅を越えない限り特に制限されないが、吸収性本体１１の幅との関係等の関係から、股下部Ｃにおける好ましい範囲の上限値は９０ｍｍ程度、より好ましくは７５ｍｍである。
【００１６】
また、吸収性本体１１に配設された弾性部材１５は、着用中における吸収性物品１のずり下がりを防止する観点から、吸収性本体１１の内部に納まる長さであることが好ましく、特に吸収性本体１１の全長に対して９５％未満の長さであることが好ましい。尚、弾性部材１５は、吸収性本体１１を持ち上げ着用者の股下部にフィットさせる効果を確実に発現させる観点から、吸収性本体１１の全長に対して５０％以上、特に６０〜９０％であることが好ましい。
【００１７】
また、吸収性本体１１に配設された弾性部材１５は、着用者の股下部に対する吸収性本体１１のフィット性を確実に向上させる観点及び締めつけすぎないようにする観点から、その収縮力が２５０〜９５０ｃＮ、特に４００〜９００ｃＮであることが好ましい。
弾性部材１５の収縮力は、以下のようにして測定される。
テンシロンＲＴＭ１００（株式会社オリエンテック）に５ｋｇｆのロードセル（ＴＬＤ−５Ｌ−Ｆ）をセットし、引張試験を実施した。サンプルは、吸収体本体１１部分を外装体２１とともに切り出し、腹側から背側に配向している弾性部材（レッグ部弾性部材２、立体ギャザー形成用弾性部材１６）部分を、吸収体本体１１を傷めないように取り去る。得られたサンプルを前記のテンシロンＲＴＭ１００にセットし、測定する。測定は、立ち上がりより１０００ｃＮまでの測定長さの９０％地点の応力を計測し、９０％地点の応力の３点平均を「収縮力」とする。この測定において、弾性部分が吸収体よりも長い場合であっても吸収体部分においてのみ測定を行う。
【００１８】
また、隣接する各接合部（４ａ−４ｂ，４ｂ−４ｃ，４ｃ−４ｄ）間の間隔は５０〜２００ｍｍ、特に７０〜１５０ｍｍが好ましく、両端部の接合部を除く接合部４ｂ，４ｃの長さ（吸収性本体１１の長手方向に沿う方向の長さ）は１０〜１００ｍｍ、特に２０〜７０ｍｍが好ましく、その幅（領域Ｇからはみ出す部分を含む）は５０〜２００ｍｍ、特に７０〜１５０ｍｍが好ましい。
また、吸収性本体１１が前記領域Ｇにおいて外装体２１に固定された部分の面積は、該領域Ｇの面積に対して５〜６０％、特に１０〜４０％であることが好ましい。
【００１９】
女性用ショーツ型吸収性物品１の構成部材の形成材料について説明する。
表面シート１２、裏面シート１３、吸収体１４、立体ギャザー１８形成用の弾性部材１６及びシート材１７、外層シート２６、内層シート２７等の形成材料としては、従来、パンツ型使い捨ておむつやショーツ型ナプキン等に用いられるものを特に制限なく用いることができる。尚、上記図示例における吸収体１４は、それぞれ繊維集合体からなる大小二つの吸収層を積層し、これをティッシュペーパ等の液透過性の紙や不織布（図示せず）で被覆したものである。また、吸収体の形状は、図示例の如く矩形状のものの他、台形や砂時計形状等、任意の形状のものを用いることができる。
【００２０】
また、外装体２１における前記弾性部材３１としては、従来、パンツ型の使い捨ておむつ等における胴廻り等に配設されている弾性部材と同様のものを用いることができる。
また、吸収性本体１１に配設する弾性部材１５としては、従来、使い捨ておむつや生理用ナプキン等の吸収性物品に用いられているものを用いることができる。
尚、弾性部材３１及び弾性部材１５の形成素材としては、例えば、スチレン−ブタジエン、ブタジエン、イソプレン、ネオプレン等の合成ゴム、天然ゴム、ＥＶＡ、伸縮性ポリオレフィン、スパンデックス、発泡ポリウレタン等を挙げることができる。弾性部材３１及び弾性部材１５としては、各種形態のものを用いることができるが、弾性部材３１の形態としては、糸状のもの（糸ゴム等）が好ましく、弾性部材１５の形態としては、糸状のもの（糸ゴム等）、所定幅の帯状のもの（平ゴム等）、薄膜状のもの（ウレタンフィルム等）が好ましい。
【００２１】
本発明の一実施形態としての女性用ショーツ型吸収性物品１’は、以下の点において、上述した女性用ショーツ型吸収性物品１と異なる。本実施形態の女性用ショーツ型吸収性物品１’については、上述した女性用ショーツ型吸収性物品１と異なる点について説明する。特に説明しない点については、女性用ショーツ型吸収性物品１に関する上述した説明が適宜適用される。
本実施形態としての女性用ショーツ型吸収性物品１’は、前記吸収性本体１１に配設された前記弾性部材１５が、股下部Ｃにおいて、吸収体１４の裏面側に配された裏面シート１３（シート材）に固定されていない点において、上述した女性用ショーツ型吸収性物品１と異なる。尚、前記弾性部材１５は、吸収性本体１１の長手方向の両端部において、表面シート１２及び裏面シート１３と共に外装体２１に固定されている。
【００２２】
本実施形態の女性用ショーツ型吸収性物品１’においては、上述した女性用ショーツ型吸収性物品１におけるのと同様の作用効果が奏される。
更に、図５に示すように、着用時には、弾性部材１５の弾性収縮力により、吸収性本体１１の少なくとも幅方向中央部における吸収体１４と該裏面シート１３との間が離間し、そのため、着用者の股下部に対して吸収性本体１１を一層確実にフィットさせることができる。
【００２３】
以上、本発明の好ましい実施形態について説明したが、本発明は上記の実施形態に制限されることなく、本発明の趣旨を逸脱しない範囲において種々変更が可能である。
例えば、上述した実施形態における複数本の弾性部材１５は互いに平行に配設されているが、複数本の弾性部材１５を、着用者の股下部に配される部位から着用者の背側又は腹側に配される部位に向かうにつれて、その配設幅が拡大するように配設することもできる。このように配設することにより、着用者の形状によりフィットさせることができるとともに、吸収体形状が背側又は腹側に広がった形状の台形や砂時計形状の場合には、フィット性をより向上させることができる。
また、複数本の弾性部材１５に代えて、シート状（帯状等）の単一の弾性部材１５を配設しても良い。
【００２４】
また、吸収性本体１１は、腹側部Ａ、股下部Ｃ及び背側部Ｂに亘って配設されていることが好ましいが、股下部Ｃから腹側部Ａ又は背側部Ｂの何れか一方のみに亘って配設されていても良く、更に股下部Ｃのみに配設されていても良い。
また、吸収性本体１１と外装体２１との接合部であって、吸収性本体１１の両端部に位置する接合部４ａ，４ｄを除く接合部４ｂ，４ｃの数は、１つでも良く、３つ以上であっても良い。また、その接合部４ｂ，４ｃの形状は、平面視して矩形状のものに制限されず、円形、楕円形、菱形状等、任意の形状とすることができる。また、その接合部４ｂ，４ｃを形成するための接着剤の塗布パターンは、ベタ塗りの他、スパイラル状、帯状、縞状、紐状、ドット状等であっても良い。
【００２５】
また、上述した実施形態においては、図２〜４に示すように、吸収性本体１１はその長手方向の両側部裏面側において、外装体２１に連続直線状に接合されているが、斯かる連続直線状の接合部５は設けても設けなくても良い。
また、本発明においては、外装体２１における吸収性本体１１に対応する部位を横切るように所定間隔で配設された弾性部材３１の弾性伸縮性を実質的に阻害しない範囲であれば、吸収性本体１１の長手方向の両端部に位置する接合部４ａ，４ｄ以外に、弾性部材３１と交差する接合部を有していても良い。
【００２６】
本発明は、女性用ショーツ型吸収性物品（ショーツ型生理用ナプキン等）の他に、子供用又は大人用の使い捨ておむつ等にも適用することができる。
【００２７】
【発明の効果】
本発明のパンツ型吸収性物品は、胴廻りのフィット性に優れており、しかも着用者の股下部に対して吸収性本体を十分にフィットさせることができ、優れた装着性、吸収性能及び漏れ防止性能を得ることができるものである。
【図面の簡単な説明】
【図１】図１は、本発明の一実施形態としての女性用ショーツ型吸収性物品（ショーツ型の生理用ナプキン）の基本的な構造を説明するための参考形態の女性用ショーツ型吸収性物品を示す斜視図である。
【図２】図２は、図１の女性用ショーツ型吸収性物品を展開して平面状に拡げた状態（緊張状態）における、該吸収性物品の内面側を吸収性本体を省略して示す平面図である。尚、図２においては、ウエスト部弾性部材及びレッグ部弾性部材の図示は省略してあり、吸収性本体は、その配設部位を示す外形線Ｐのみを示してある。
【図３】図３は、図１の女性用ショーツ型吸収性物品を展開して平面状に拡げた状態（緊張状態）における、図２のＸ−Ｘ線断面を模式的に示す断面図である。
【図４】図４は、図１の女性用ショーツ型吸収性物品を展開して平面状に拡げた状態（緊張状態）における、図２のＹ−Ｙ線断面を模式的に示す断面図である。
【図５】図５は、本発明の一実施形態としての女性用ショーツ型吸収性物品を示す図で、使用状態における、図２のＸ−Ｘ線断面に相当する断面を模式的に示す断面図である。
【符号の説明】
１’，１    女性用ショーツ型吸収性物品（パンツ型吸収性物品）
１１      吸収性本体
１２      表面シート
１３      裏面シート（接合シート）
１４      吸収体
１５      弾性部材（吸収性本体に配設された弾性部材）
１８      立体ギャザー
２１      外装体
２６      外層シート
２７      内層シート
３１      弾性部材（外装体における弾性部材）
４ａ，４ｂ  吸収性本体と外装体との接合部（吸収性本体の両端に位置する接合部）
４ｃ，４ｄ  吸収性本体と外装体との接合部（吸収性本体の両端に位置する接合部を除く接合部）
Ａ    腹側部
Ｂ    背側部
Ｃ    股下部
Ｇ    長手方向に配設された弾性部材が存在する所定幅の領域
【図１】
0003583370.tif 000002
【図２】
0003583370.tif 000003
【図３】
0003583370.tif 000004
【図４】
0003583370.tif 000005
【図５】
0003583370.tif 000006